(57)【要約】      （修正有）【課題】製造が容易で寸法や精度管理がラフなもので済み、また使用に際しては脱落の虞がなく、しかも少ない部品点数で載置物の大きさや重量に応じて２通りの使用形態がとれる、２ウェイ型物置きラックを安価に提供する。【解決手段】２ウェイ型物置きラック１を、取付けレール２とこれに吊持される断面Ｌ字形のラック本体３とで構成する。取付けレール２の下面中央に長手方向の差し込み溝７を開設し、その両側に受け片２ｃ，２ｃを対向して設ける。ラック本体３の２つの辺片３ａ，３ｂの幅を異ならしめ、辺片３ａ，３ｂの外側部にそれぞれ係合部３ｃを設ける。係合部３ｃのいずれかを受け片２ｃ，２ｃに係着することにより、辺片３ａ，３ｂを選択的に物品載置用の棚板として水平に配置する。【選択図】図１
2011120726.tif 000002
【特許請求の範囲】
【請求項１】
建築物の壁面に固定される取付けレールと、該取付けレールに吊持される断面Ｌ字形のラック本体とを備え、
前記取付けレールの下面中央に長手方向の差し込み溝を開設し、該差し込み溝の両側に一対の受け片を対向して設け、前記ラック本体の２つの辺片の幅を異ならしめるとともに、各辺片の外側部に係合部を設け、
これら係合部のいずれかを前記一対の受け片に係着することにより、前記２つの辺片を選択的に物品載置用の棚板として水平に配置する
ことを特徴とする２ウェイ型物置きラック。
【請求項２】
前記各係合部は、それぞれの辺片の外側縁から互いに他方の辺片と平行に突出し、前記差し込み溝を通過して前記一対の受け片の一方の上面に係合する第１突片と、
該第１突片から前記受け片の厚みと同等の間隔を置いて前記それぞれの辺片から前記第１突片と反対方向へ突出し、前記一対の受け片の他方の下面に係合する第２突片とからなる
ことを特徴とする請求項１に記載の２ウェイ型物置きラック。
【発明の詳細な説明】
【技術分野】
【０００１】
本発明は、住宅やマンション，オフィス等の建築物，受付カウンターやベッド等の構築物の壁面に片持ちで取付けされ、身の回り品や生活雑貨等の置物を載置するのに用いる物置きラックに係り、詳しくは置物の種類や使用目的に応じて幅の異なる２種類の棚板を選択的に用いることのできる２ウェイ型物置きラックに関する。
【背景技術】
【０００２】
住宅やオフィス等の建築物の壁面に片持ちで取付けされる物置きラックとして、例えば、棚板と棚板取付具とからなり、該棚板取付具は棚板を片持ち状に支持すべく一端縁が嵌入される嵌合溝部を長手方向に連続して備えた型材よりなり、前記嵌合溝部は、建物等の壁面に固定具を介して取付けられる取付壁と、該取付壁の下端に設けられた下支持部と、前記取付壁の上端に設けられた上支持部とから形成され、該上支持部は、一側方に僅かに下降する傾斜状に延設され、棚板の上面側と当接する上支持面と、該上支持面の延設端より壁面に当後すべく壁面方向に上向傾斜状に延設された上支持壁とからなり、前記下支持部は、前記上支持面より長く略水平方向に延設され、前記棚板の下面側を支持する下支持面と、壁面に沿って下方に延設された壁当接面と、該壁当接面と下支持面との両端を互いに連結する下支持壁とからなる三角形筒状に形成され、前記下支持面には長手方向に沿って技止め用のかえり突条が設けられると共に、その延設端に長手方向に沿って上方に突出する支持突条が設けられ、さらに上支持面延設端の下方と対応する下支持面に、下方に膨出する弧状の棚板嵌入ガイド部が形成された構造が提案されている（例えば、特許文献１参照）。
【先行技術文献】
【特許文献】
【０００３】
【特許文献１】実開昭６２−３１４４５号公報
【発明の開示】
【発明が解決しようとする課題】
【０００４】
上記特許文献１の物置きラックに用いる棚板取付具は、アルミ等の押出型材を適宜長さに切断して使用されるが、押出型材の断面形状は複雑であって、棚板取付具が所定厚さの棚板を上下から精度よく挟むためには、押出型材の成形型である押出しダイスの製作と精度管理がむずかしいという欠点がある。
【０００５】
また、成形された棚板取付具の上支持部と下支持部と間に棚板が差し込まれるが、棚板取付具の上支持部と下支持部には、棚板と載置物から常時開き方向の荷重が作用することから上支持部と下支持部間の間隔が緩んで棚板が抜けやすくなり、これを回避しようと上下支持部間の間隔を狭くしておくと棚板の差し込みが困難になるという問題がある。さらに、規定の棚板よりも大きな置物を載置したい場合には、別途に幅広な棚板を用意しなければならないから、部品点数の増加や部品管理並びに経済性の観点から不利である。
【０００６】
本発明は、かかる実情を背景にしてなされたもので、その目的とするところは、製造が容易で寸法や精度管理がラフなもので済み、また使用に際しては脱落の虞がなく、しかも少ない部品点数で載置物の大きさや重量に応じて２通りの使用形態がとれる２ウェイ型物置きラックを安価に提供することにある。
【課題を解決するための手段】
【０００７】
上述の目的を達成するため、本発明の２ウェイ型物置きラックは、建築物の壁面に固定される取付けレールと、該取付けレールに吊持される断面Ｌ字形のラック本体とを備え、前記取付けレールの下面中央に長手方向の差し込み溝を開設し、該差し込み溝の両側に一対の受け片を対向して設け、前記ラック本体の２つの辺片の幅を異ならしめるとともに、各辺片の外側部に係合部を設け、これら係合部のいずれかを前記一対の受け片に係着することにより、前記２つの辺片を選択的に物品載置用の棚板として水平に配置することを特徴としている。
【０００８】
さらに、本発明の２ウェイ型物置きラックは、前記一対の辺片に設けられる各係合部が、それぞれの辺片の外側縁から互いに他方の辺片と平行に突出し、前記差し込み溝を通過して前記一対の受け片の一方の上面に係合する第１突片と、該第１突片から前記受け片の厚みと同等の間隔を置いて前記それぞれの辺片から前記第１突片と反対方向へ突出し、前記一対の受け片の他方の下面に係合する第２突片とからなることを特徴としている。
【０００９】
本発明の２ウェイ型物置きラックは、住宅やマンション，オフィス等の建築物の壁面やパーテーション等に取付けレールが固定される。取付けレールはさらに、ベッドのヘッドボードやフットボード，受付カウンター，机等の構築物の脇に設置してもよく、あるいはサッシの室内側の下枠に設置したり、サッシの室内側の下枠自体を本発明の取付けレールとすることもできる。
【００１０】
取付けレールとラック本体は、アルミ合金や合成樹脂等による押出型材を所要長さに切断したり、細長い鋼板を折曲して形成される。ラック本体の係合部は、ラック本体に沿って長く設けてもよく、あるいは短い形状のものを所定間隔で複数設けてもよい。
【００１１】
ラック本体は、２つの係合部のいずれかを取付けレールの一対の受け片に係着することにより、係合部を受け片に係着した側の辺片が吊下げ片として垂下され、他の側の辺片が物品載置用の棚板として水平に配置される。また、棚板として使用していた側の辺片の係合部を取付けレールの一対の受け片に係着することにより、幅の異なる他方の辺片が物品載置用の棚板となる。
【００１２】
ラック本体はこのように、取付けレールを用いてＬ字状に片持ちで吊り下げられ、水平に配置されるいずれか一方の辺片を棚板として使用する。ラック本体の２つの辺片は、幅広と幅狭に形成されていることから、２種類の棚板として使用目的に応じて使い分ける。棚板に載置する置物としては、比較的軽量で且つあまり嵩張らない、例えば腕時計やメガネ，財布，定期入れ，宝飾類等の身の回り品、写真立てや卓上カレンダー，花瓶，文房具類等の生活雑貨が適当である。
【００１３】
また、ラック本体の２つの辺片に設けられる係合部のそれぞれを、辺片外縁の第１突片と、この第１突片から取付けレールの一対の受け片の厚み分を置いて第１突片とは逆方向へ突出する第２突片とで形成し、いずれか一方の第１突片を取付けレールの差し込み溝に差し込んで、第１突片を一対の受け片の一方の上面に係合させ、さらに第２突片を一対の受け片の他方の下面に係合させることにより、ラック本体が取付けレールに片持ちで吊持される。
【００１４】
このように吊持されたラック本体は、吊下げ側の辺片が鉛直方向に、棚板側の辺片が水平方向にそれぞれ配置される。またラック本体には、吊下げ側の辺片の下端一側部に偏倚する棚板側の辺片の荷重がモーメントとして作用し、第１，第２突片と一対の受け片とを圧着させる。さらに、棚板に置物を載置した場合には上述のモーメントに置物の重量が加わり、ラック本体の取付け状態をより安定させる。
【発明の効果】
【００１５】
本発明の２ウェイ型物置きラックによれば、少ない部品点数で載置物の大きさや重量に応じた２通りの使用形態がとれるので利便性に優れる。また、製造が容易で寸法や精度管理がラフなもので済み、２ウェイ型物置きラックを安価に提供することができる。さらに使用に際してはラック本体に脱落の虞がなく、安定した使用が可能である。
【００１６】
また、ラック本体の辺片に設定される係合部のそれぞれを、辺片外縁の第１突片と、この第１突片から一対の受け片の厚み分を置いて第１突片とは逆方向へ突出する第２突片とで形成することにより、取付けレールに対してラック本体を着脱する際に第１，第２突片の抜き差しを簡便に行うことができ、しかもラック本体を取付けレールに装着した際には、ラック本体の取付け状態をよく保つことができる。また、第１突片を辺片の長手方向に沿って設定した場合には、棚板側の辺片の外縁に第１突片が上向きに突出して脱落防止用のエッジと利用できるので、使用性に優れる。
【図面の簡単な説明】
【００１７】
【図１】本発明の一形態例を示す幅狭な辺片を棚板として用いた場合の２ウェイ型物置きラックの断面正面図である。
【図２】本発明の一形態例を示す幅広な辺片を棚板として用いた場合の２ウェイ型物置きラックの断面正面図である。
【図３】本発明の一形態例を示すラック本体の取付け部分の拡大断面正面図である。
【図４】本発明の一形態例を示す２ウェイ型物置きラックの２種類の使用形態を説明する斜視図である。
【発明を実施するための形態】
【００１８】
図１〜図４に示す本形態例の２ウェイ型物置きラック１は、建築物や構築物の壁面Ｗに複数のブラケット４及びタッピングねじ５を用いて固定される取付けレール２と、該取付けレール２に着脱自在に吊持されるラック本体３とからなっている。取付けレール２とラック本体３には、アルミ合金や合成樹脂等による押出型材を所要長さに切断したものや、細長い鋼板を折曲したものが用いられる。
【００１９】
各ブラケット４は、壁面Ｗに密着させた本体プレート４ａにタッピングねじ５を挿通し、該タッピングねじ５を壁面Ｗにねじ込んで固定されるもので、本体プレート４ａの両端に連続する側板４ｂ（一方は図示せず）の上下には、それぞれ係止凹部６，６が設けられている。
【００２０】
前記取付けレール２は、断面略下向きコ字状のレール本体２ａの上部に、断面略横向きコ字状の取付け体２ｂが一体形成されており、レール本体２ａの下面中央には、後述するラック本体３の第１突片３ｄの厚みよりも幅広な差し込み溝７が長手方向に開設され、該開口４の両側に一対の受け片２ｃ，２ｃが対向して設けられている。
【００２１】
取付け体２ｂの開口部上下には、爪片２ｄ，２ｄが長手方向に対向して位置しており、取付けレール２は、この爪片２ｄ，２ｄを壁面Ｗに固定されたブラケット４の係止凹部６，６に差し込み、複数のブラケット４の側板４ｂを爪片２ｄ，２ｄで上下から挟持することにより取り付けられる。
【００２２】
前記ラック本体３は、Ｌ字形に連なる２つ辺片３ａ，３ｂの幅を１：１．７程度に異ならせており、辺片３ａ，３ｂの外側部にはそれぞれ係合部３ｃが設けられている。辺片３ａ，３ｂの係合部３ｃは、自身の辺片の外縁から互いに他方の辺片と平行に突出する第１突片３ｄと、該第１突片３ｄから取付けレール２の受け片２ｃ，２ｃの厚みｔと同等の間隔を置いて第１突片３ｄと反対方向へ突出する第２突片３ｅとよりなり、さらに第１突片３ｄは第２突片３ｅよりも突出量が大きく且つ厚みを持たせたものとなっている。
【００２３】
各係合部３ｃの第１，第２突片３ｄ，３ｅは、ラック本体３の長手方向全長に亘って設けられており、辺片３ａ，３ｂのいずれか一方の係合部３ｃの第１突片３ｄを取付けレール２の差し込み溝７よりレール本体２ａの内部に差し込み、さらにこの第１突片３ｄを壁面Ｗと反対側の受け片２ｃの上面に係合させ、一方の側の第２突片３ｅを壁面Ｗ側の受け片２ｃの下面に係合させることにより、ラック本体３が取付けレール２に片持ちで吊持される。
【００２４】
このように吊持されたラック本体３は、吊下げ側の辺片が鉛直方向に配置され、棚板側の辺片が水平方向に配置される。図１と図４の左側は、幅狭な辺片３ａを棚板として使用し、幅広の辺片３ｂを吊下げ片とした事例を示している。図２と図４の右側はこれとは逆に、幅広の辺片３ｂを棚板として使用し、幅狭な辺片３ａを吊下げ片とした事例を示している。
【００２５】
またラック本体３には、吊下げ側の辺片の下端一側部に偏倚する棚板側の辺片の荷重がモーメントとして作用し、第１，第２突片３ｄ，３ｅと一対の受け片２ｃ，２ｃとを圧着させるのに役立つ。さらに、棚板に置物を載置した場合には上述のモーメントに置物の重量が加わり、ラック本体３の取付け状態をより安定させる。
【００２６】
本形態例の２ウェイ型物置きラック１は、以上のように構成されており、少ない部品点数でありながら置物の大きさや重量に応じた２通りの使用形態を簡便にとれるので、利便性に優れている。また、図１と図４の左側の事例では、棚板として用いた幅狭な辺片３ａの外側縁に上向きに位置する第１突片３ｄが、置物の脱落を防止するエッジとして利用でき、図２図４の右側の事例でも同様に、棚板として用いた幅広な辺片３ｂの第１突片３ｄが、エッジとして置物の脱落を有効に防止する。
【００２７】
なお、上述の形態例では取付けレールの固定にブラケットを用いたが、本発明はブラケットを省略して、取付けレールを建築物や構築物の壁面に直接固定してもよい。また、ラック本体の辺片に設定される係合部は、吊下げレールからラック本体を吊持できればよく、必ずしも上述の形態例に示した形状のみに限定されるものではない。
【符号の説明】
【００２８】
１…２ウェイ型物置きラック
２…取付けレール
２ａ…レール本体
２ｂ…取付け体
２ｃ…受け片
２ｄ…爪片
３…ラック本体
３ａ…幅狭の辺片
３ｂ…幅広の辺片
３ｃ…係合部
３ｄ…第１突片
３ｅ…第２突片
４…ブラケット
５…タッピングねじ
６…係止凹部
７…差し込み溝
Ｗ…壁面
ｔ…受け片２ｃの厚み
【図１】
2011120726.tif 000003
【図２】
2011120726.tif 000004
【図３】
2011120726.tif 000005
【図４】
2011120726.tif 000006